(57)【特許請求の範囲】
【請求項１】
２つの区画で限定される３つの鉛直直立部（４、５、６）における二
重の懸架クロゼットを一体に装着可能な収容アッセンブリ、すなわち、棚（２）及び／又は引き出し（３）と一体のリンネル区画（Ａ）と、
長い衣服を吊すために上位部に上位水平バー（１０）を配置しアッセンブリが以下で特徴付けられた懸架クロゼット区画（Ｂ）、
懸架クロゼット区画（Ｂ）は、少なくとも２つの低位水平バー（１４）が靴ホルダを形成しており、少なくとも一つの中間水平懸架クロゼットバー（１６）が、上位水平バー（１０）と低位水平バー（１４）の間の実質的に中途に配置され、
低位部が低位水平バー（１４）上で摺動可能であり、かつ上位部が中間水平懸架クロゼットバー（１６）の一端部と完全に一体である垂直可動式隔壁（１５）、この中間水平懸架クロゼットバー（１６）の他端部が、懸架クロゼット区画（Ｂ）からリンネル区画（Ａ）を分離している内側直立部（５）を貫通して摺動可能である、収容アッセンブリ。
【請求項２】
内側直立部（５）に設けた貫通孔（１３）に配置したプラスチックベアリング（１２）を介して、中間懸架クロゼットバー（１６）が限定されたスピードで摺動可能であることを特徴とする請求項１に記載の収容アッセンブリ。
【請求項３】
この区画の棚（２）の一つの裏面に対して接近するようにリンネル区画（Ａ）の中へその部分を延ばすという方法で中間水平懸架クロゼットバー（１６）が位置付けられていることを特徴とする請求項１に記載の収容アッセンブリ。
【請求項４】
垂直可動式隔壁（１５）は、プラスチックベアリング（１２）を備え、それにより低位水平バー（１４）上を限定されたスピードで摺動可能であることを特徴とする請求項１に記載の収容アッセンブリ。
【請求項５】
上位水平バー（１０）と低位水平バー（１４）は、リンネル区画（Ａ）から離れたそれらの端部で、懸架クロゼット区画（Ｂ）の外側直立部（６）とそれぞれ接続されており、その上、それらの他端に近接したリンネル区画（Ａ）の内側直立部（５）内のベアリング（１２）で摺動し、
この内側直立部（５）は、２つの直立部（４、５）、水平天板（７）と棚（２）と引き出し（３）で構成される段形式であり、懸架クロゼット区画（Ｂ）を限定している第二モジュール（Ｍ２）と区別した第一モジュール（Ｍ１）の一部となっており、
この第二モジュール（Ｍ２）は、上位水平バー（１０）と低位水平バー（１４）を支える外側直立部（６）と、内側直立部（５）の伸長部（５ａ）上に置かれている天板（８）から構成されていることを特徴とする請求項１に記載の収容アッセンブリ。
【請求項６】
少なくとも上位水平バー（１０）が、いくつかの補助バー（２０）を付随させており、羽布団又は毛布の棚を形成する各補助バー（２０）は、上位水平バー（１０）のように懸架クロゼット区画の外側直立部（６）に接続されており、かつリンネル区画（Ａ）の内側直立部（５）を貫通して限定されたスピードで摺動可能であることを特徴とする請求項１に記載の収容アッセンブリ。
【発明の詳細な説明】
【０００１】
【発明の属する技術分野】
本発明は、収容アッセンブリに関し、さらに詳しくは棚及び／又は箪笥と懸架クロゼット区画と一体のリンネル区画からなるアッセンブリに関するものである。
【０００２】
【従来の技術】
実施例に依存する懸架クロゼット区画は、オーバコート又はレインコートのような長い衣服を吊すための上位部分における単独の水平バーか、２つの積み重ねた水平バー、上位部分の一方とおよそ中間部分の他方、ジャケット又はその類のように短い衣服を懸架可能であるこれらのバーの各々のいずれかを包含する。
【０００３】
懸架クロゼットのバーが、２つの直立した懸架クロゼット区画の間で、不変に若しくは取り外し可能に固定されるかどうかを、この区画のユーザは、購入するか若しくはアッセンブリを組み立てるかのいずれかを２つの構成の間で選択しなければならない。仮にユーザが２つの上位の懸架クロゼットバーを選択すると、ユーザは最大の収容容積を得るが、レインコート、その他のような長い衣服を置かなければならない。仮にユーザが単独懸架クロゼットバーを選択すると、ユーザは長い衣服を収容することができるが、懸架クロゼットの高さの５０％を損なう。
【０００４】
一度決定が為されると、それが実質的に最終的である。なぜなら、例えば長い衣服を収容するために低位バーが除去されるように、たとえバーが取り出されても半分だけ収容能力が減少し、かつユーザが他の収容手段を有していなければ、その議論の外である。
【０００５】
最大の懸架衣料収容容量を過大に減少させることなくユーザの要求容量に調整することができる調整可能な二重懸架クロゼットと一体に収容アッセンブリを提供することによりこの問題を解決することが本発明の目的である。
【０００６】
【発明の実施の形態】
この目的のために、本発明による収容アッセンブリは、少なくとも二つの靴ホルダを形成する下位水平バー、短い衣服を掛けるために上位バーと下位バーの間の実質的に中途に配置した少なくとも一つの中間水平懸架クロゼットバー、そして低位部が低位バーの上を摺動可能でかつ上位部が中間水平懸架クロゼットバーの一端と一体である垂直かつ可動式の隔壁で構成され、この中間水平懸架クロゼットバーの他端は、懸架クロゼット区画からリンネル区画を直立分離している鉛直面を貫通して摺動可能である。
【０００７】
リンネル区画から懸架クロゼット区画を分離している鉛直面に対向している前記隔壁において、中間水平懸架クロゼットバーと一体の移動式隔壁は、このようにしてクリアランス位置の間の様々な位置を占有することができ、このように残されているこのリンネル区画は完全に自由であり、最大使用の位置において、この隔壁が、懸架クロゼット区画の外側鉛直面に抗して配置されておりかつ両懸架上で短い衣服を収容するために中間バーの完全な使用を許容する。中間位置におけるバーは短い衣服を支持することができるが、上位バーはさらに懸架クロゼットの外側鉛直面と垂直部の間に残した距離に依存する多数の長い衣服を支持することができ、そして、この距離はユーザにより要求されるように増加させ又は減少させられる。
【０００８】
この非膨張性の配置は、調整が非常に容易で、懸架クロゼット内の収納選択を飛躍的に改善し、着用者と季節の両方の衣服に順応させることができる。
詳細な実施例によると、この配置は、固定した区画と一体のユニット若しくは伸張ユニットに適用することができ、そのタイプの例はフランス特許９３ ０４０９５に開示してある。
【０００９】
他の特徴と利点は、広げることができる収容アッセンブリのための本発明の実施例により、添付した図面に関連して以下の記述に見出される。
図１は、収容ユニットの透視図である。
図２は、中間位置における分離した区分の正面図である。
図３は、バーに関してガイド・ベアリングの実施例を拡大表示した部分断面図である。
図４は、リンネル区画の内側直立部分の上位部分の高さにおける部分側面図である。
【００１０】
大まかに言えば、収容ユニットは２つの区画で構成されており、即ち、棚２と引き出し３とを取り付けたリンネル区画Ａと、懸架クロゼット区画Ｂである。これらの区画は、直立部４（外面）、内側直立部５（内面）と外側直立部６（外面）の間の垂直な直立部分で限定される。
【００１１】
実施例において、壁における２つのリセスの壁面間の段違いに適応することができる収容アッセンブリの幅が伸張性に対応して図示されており、ユニットは２つの独立したモジュール、すなわち、直立部４と５、棚２、引き出し３及び水平天板７からなる段形状の第一モジュールＭ１と、外側直立部６、天板８及び垂直返し部９からなる第二モジュールＭ２で構成されている。
【００１２】
図１と図２は、垂直返し部９が第一モジュールＭ１の天板７上に支持されている間、垂直返し部９が内側直立部５の伸張部５ａ上で支持されていることを明瞭に示している。
【００１３】
モジュールＭ２は、一端が外側直立部６に接続されかつ他端が内側直立部５を貫通して、より正確には内側直立部５（壁）に孔１３を配置した合成材料からなるプラスチックベアリング１２（ベアリング）を貫通して、摺動可能な上位水平バー１０（水平懸架クロゼットバー）と一体の上位部に装備される。
【００１４】
外側直立部６は、また、靴ホルダーを形成している２つの低位水平バー１４（水平バー）の両端と一体の低位部に不可欠であり、これらのバーの両端は、直接かまたは中間のプラスチックベアリング１２経由のどちらかで、内側直立部５の低位部を貫通して摺動可能になっている。本発明によると、直立部５と６と同程度の高さではない垂直可動式隔壁１５（可動式垂直隔壁）の低位部は、これらの２本のバー１４上で摺動可能である。
【００１５】
一実施例において、この摺動移動はスピードが制限されかつ可動式隔壁１５に装着したプラスチックベアリング１２を経て生じる。
その上位端部の近くにおいて、垂直可動式隔壁１５は中間水平懸架クロゼットバー１６の端部の一つと一体であり、ベアリング１２を介して制限されたスピードで摺動可能な他端部が内側直立部５に適合している。
【００１６】
図１と２は、箪笥の側面若しくは棚の端部と一致しないような垂直な配置でありかつ好ましくは即座に下部の棚２及び下部水平天板７（ボード）になるように配列されるバー１０、バー１６及びバー１４に対して内側直立部５に適合している様々なベアリング１２が示してある。
このようなベアリング１２に近接する棚は、リンネル区画Ａの中へ通るバー１０、１６若しくは１４の突起の先端を隠すように帯２ａを提供するのに都合がよい。
【００１７】
バー１０、１６、１４が外側直立部６（外部直立部）とモジュールＭ２の返し部９の間の段差と同程度の長さを有しており、したがって、アッセンブリが最大伸張の位置であるときでも内側直立部５により支持可能にするために懸架クロゼット区画Ｂの幅よりも長いことは明白である。
【００１８】
この配列と共に、２つの末端位置の間で様々な中間位置を占めるように垂直可動式隔壁１５は直立部５と６の間で横に移動可能であり、この隔壁１５におけるクリアランス位置が、直立部５に対向しかつ完全に自由な懸架クロゼット区画Ｂから離れ、最大限の位置は外側直立部６の内面に対向しかつ懸架クロゼット区画の全幅を横切って伸びる中間のハンガーを形成する垂直可動式隔壁１５において使用する。この位置において、上位ハンガーと下位ハンガーはジャケットのような短い衣服のみを吊すことができる。
【００１９】
仮にユーザが一つ以上の長い衣服を懸架クロゼットに収容したいなら、ユーザは簡単に垂直可動式垂直隔壁１５を区画Ｃを形成するように図２の値Ｓだけ移動し、上位バー１０から吊した長い衣服を収容することができる。図２は、この構成において、中間ハンガーの収容容量が上位ハンガーの短い衣服のための収容容量として同様に減少し、全体の中間ハンガーが除去されるよりも範囲が小さいことを示している。
【００２０】
この配列によりオペレータは、長い衣服に適合させるために短い衣服の容量に多大な影響を及ぼすことなく、区画Ｃの幅を所望する容量に様々に変えることができる。
【００２１】
実施例で示した例えば上位水平バー１０のような懸架クロゼットバーの一つは、羽布団若しくは毛布用の棚を形成する様々な補足バー２０を伴う。
バー２０は、バー１０のように直立部６に一端部が固定され、他端において内側直立部５に適合したベアリング１２を介して限定されたスピードで摺動することが可能である。
【００２２】
図１は、例えば仮に収容アッセンブリが短い子供用の衣服を収容するように設計されている場合には、バー１０と２０の別の一組を設置することができるベアリング１２とブラインドホール２１が、それぞれ、上位水平バー１０と中間水平懸架クロゼットバー１６（中間バー）の間に構成される直立部５と６を示している。これらのバーは、上位部が羽布団若しくは毛布を保管するのに使用されることを可能にする。
【００２３】
図４は、そのバーが上位水平バー１０（懸架クロゼットバー）と共に使用される際、これらが、このバー１０を超えてコートハンガーのフックの挿入に干渉することがないようにこのバー１０の上記レベルに配置され、さらに所定の位置に羽布団又は毛布を保管する穴２５を形成していることを示している。
【００２４】
この懸架クロゼット配列は、もちろん、２つの固定した区画と一体に収容アッセンブリとして適用することができる。この場合、バー１６のみが内側直立部５を貫通して摺動可能であり、他のバー１０、１４及び２０は直立部５と６に直接若しくは間接的に接続されている。
【図面の簡単な説明】
【図１】  収容ユニットの透視図である。
【図２】  中間位置における分離した区分の正面図である。
【図３】  バーに関してガイド・ベアリングの実施例を拡大表示した部分断面図である。
【図４】  リンネル区画の内側直立部分の上位部分の高さにおける部分側面図である。
【図１】
0003905757.tif 000002
【図３】
0003905757.tif 000003
【図４】
0003905757.tif 000004
【図２】
0003905757.tif 000005